【手続補正書】
【提出日】平成26年1月21日(2014.1.21)
【手続補正１】
【補正対象書類名】特許請求の範囲
【補正対象項目名】全文
【補正方法】変更
【補正の内容】
【特許請求の範囲】
【請求項１】
許容可能な注文を定義するメッセージ欄を含むトレーディングメカニズムを有するトレーディング装置であって、
少なくとも一人の第１のトレーダーから許容可能な注文を受信するように構成された注文レシーバーであって、前記許容可能な注文は、前記少なくとも一人の第１のトレーダーによって送信された少なくとも一つの許容可能な複合注文を含み、該少なくとも一つの許容可能な複合注文は、決済において市況の状態に基づいて定義された少なくとも一つの複合条件を含む、前記注文レシーバーと、
該送信された許容可能な注文を格納するように構成された注文格納モジュールと、
該送信された許容可能な注文とトレーディングメカニズムとに基づいて取引を生成するように構成された取引生成部と、
該取引を報告するように構成された報告モジュールと
を備え、
前記少なくとも一人の第１のトレーダー以外からの許容可能な注文の組における少なくとも一つの注文の組に対して、前記複合条件が満たされるかどうかを判定することは、決済における第１のトレーダーの品目配分と代価授受、決済の時刻までの前記少なくとも一人の第１のトレーダーの入札履歴、前記決済の時刻、前記決済の時刻までの外生変数の履歴、および前記決済の時刻までのトレーディングメカニズムにおける前記第１のトレーダーに利用可能な他の情報のうちの少なくとも一つのグループに含まれる前記情報のみを取得するだけでは不可能であり、
前記少なくとも一人の第１のトレーダー以外からの許容可能な注文の組における少なくとも一つの注文の組に対して、前記複合条件が満たされるかどうかを判定することは、決済における品目配分と代価授受、および前記決済の時刻までのトレーディングメカニズムにおける情報の全てを取得することで可能となる、トレーディング装置。
【請求項２】
前記トレーディング装置は、複数の品目に対する注文をサポートし、
前記複合注文は、少なくとも一つのゼロではない価格を含み、且つ複数の品目に対するものであり、前記複数の品目は、複数の同一品目および複数の異種品目のうちの少なくとも一方を含み、
少なくとも一つの複合注文が送信される際の単一の品目または複数の品目に対する生成された取引の品目配分と代価授受に対応する単一の価格または複数の価格は、外部で判定されない、請求項１に記載のトレーディング装置。
【請求項３】
前記少なくとも一つの複合注文は、少なくとも一つのゼロではない価格を含み、
前記注文レシーバーは、取引の品目配分および代価授受のうちの少なくとも一方に基づいて定義されない条件を有する少なくとも一つの複合注文を受信するように構成される、請求項１に記載のトレーディング装置。
【請求項４】
前記少なくとも一つの複合注文は、少なくとも一つのゼロではない価格を含み、
前記注文レシーバーは、取引の品目配分および代価授受のうちの少なくとも一方に基づいて定義されない条件を有する少なくとも一つの複合注文を受信するように構成される、請求項２に記載のトレーディング装置。
【請求項５】
前記トレーディング装置は、単一の品目に対する注文をサポートし、
前記トレーディング装置は、複数の品目に対する注文をサポートし、前記複数の品目は、複数の同一品目および複数の異種品目のうちの少なくとも一方を含み、
前記複合注文は、少なくとも一つのゼロではない価格を含み、
前記トレーディング装置は、無品目注文をサポートし、
少なくとも一つの複合注文が送信される際の単一の品目または複数の品目に対する生成されたトレード配分と代価授受に対応する単一の価格または複数の価格は、外部または内部で判定され、
前記注文レシーバーが、
購入品目、売却品目、取引の品目配分と代価授受、該注文に含まれる情報から派生した統計データ、変数であって、該変数の計算には、該注文に含まれる少なくとも何らかの情報を用いることが必要である、前記変数、無品目取引、少なくとも一つの複合注文に適した注文機能、および域内取引情報への影響から成る条件カテゴリーのグループから選択される条件を有する少なくとも一つの複合注文を受信するように構成され、
前記注文レシーバーが、
注文の価格インパクト、オークション規模、市場規模、流動性、応募超過、競争レベル、均衡性、分散度、需給不均衡、安定性、および市場の勢い
から成るグループから選択される一つの概念を表わす変数の条件を有する少なくとも一つの複合注文を受信するように構成されている、請求項１に記載のトレーディング装置。
【請求項６】
前記注文の提出、該注文の修正、該注文の取消し、有効かつ未決済の注文セットの生成、該注文の受領確認、該注文の一部の公表、および該注文に基づいて生成される取引からなるグループから選択された前記注文に関連するイベントを管理するように構成された注文管理部、
前記注文と前記取引とのうちの少なくとも一つに基づいて、域内取引情報を報告および生成するように構成された域内取引情報モジュール、
前記取引に関連する情報を格納するように構成された取引格納モジュール、
取引報告命令を受信するように構成された命令レシーバー、
前記トレーディングメカニズムを格納するように構成されたトレーディングメカニズム格納モジュール、および
外部取引市場とデータベースとのうちの少なくとも一つと通信するように構成された外部通信モジュールであって、該外部取引市場は、該トレーディング装置を含む取引市場以外の取引市場である、前記外部通信モジュールのうちの少なくとも一つをさらに備える、請求項１〜５のいずれか１項に記載のトレーディング装置。
【請求項７】
外部取引市場とデータベースとのうちの少なくとも一つと通信するように構成された外部通信モジュールであって、該外部取引市場は、該トレーディング装置を含む取引市場以外の取引市場である、前記外部通信モジュールをさらに備え、
前記外部通信モジュールが、
前記注文の一部を前記外部取引市場へ送信するように構成された注文経路指定モジュールと、
該外部取引市場と前記データベースとのうちの少なくとも一つからの情報にアクセスできるように構成された外生情報アクセス部と
を含む、請求項１〜５のいずれか１項に記載のトレーディング装置。
【請求項８】
前記トレーディングメカニズムを格納するように構成されたトレーディングメカニズム格納モジュールをさらに備え、
前記トレーディングメカニズム格納モジュールは、前記取引生成部によってアクセスできるように構成されている、請求項１〜５のいずれか１項に記載のトレーディング装置。
【請求項９】
前記少なくとも一人のトレーダーによって選択されるように構成された選択可能注文入力フォームをさらに備える、請求項１〜５のいずれか１項に記載のトレーディング装置。
【請求項１０】
前記選択可能注文入力フォームが、
文章指定子、数学的条件指定子、関数指定子、領域指定子、および少なくとも一人のトレーダーの取引目的
からなる選択可能な注文入力フォームのグループから選択される、請求項９に記載のトレーディング装置。
【請求項１１】
前記トレーディングメカニズムは、決済方法を含む、請求項１〜５のいずれか１項に記載のトレーディング装置。
【請求項１２】
前記決済方法は、トレーディングフォーマット、取引目的、およびタイブレーカーのうちの少なくとも一つを含む、請求項１１に記載のトレーディング装置。
【請求項１３】
該トレーディング装置によって用いられるトレーディングフォーマットが、
第一価格オークションフォーマット、第二価格オークションフォーマット、第一価格組合せオークションフォーマット、第二価格組合せオークションフォーマット、差別価格オークションフォーマット、統一価格オークションフォーマット、差別価格組合せオークションフォーマット、統一価格組合せオークションフォーマット、および組合せオークションフォーマット、取引市場フォーマット、提出される注文が数量だけから成る取引フォーマット、ＮＹＳＥのマッチポイント、および現在システム内にある注文に一部基づく域内取引情報を送信するプラットフォームのうちの一つであり、
前記取引目的の最適化は、生成された取引が少なくとも一つの評価基準に与える効果を考慮することを含み、該評価基準は、
競売主催者の収益、競売主催者のコスト、取引利益、取引高、競売主催者の収益の最大化、均衡性、分散度および価格安定性
から成るグループから選択される、請求項１２に記載のトレーディング装置。
【請求項１４】
前記トレーディングメカニズムは、
該トレーディングメカニズムに関連する少なくとも一つの取引ルール
を含む、請求項１〜５のいずれか１項に記載のトレーディング装置。
【請求項１５】
前記トレーディングメカニズムに関連する少なくとも一つの取引ルールは、
注文に関するルール、換金に関するルール、品目候補セットに関するルール、および取引の決済時期に関するルール
から成るグループから選択される、請求項１４に記載のトレーディング装置。
【請求項１６】
前記取引生成部は、格納された注文を該トレーディングメカニズムと比較するように構成されたコンパレーターと、該比較に基づいて該取引を執行する取引執行装置とを含むこと、
前記取引生成部は、決済方法を実行する決済方法モジュールを含むこと、
前記少なくとも一つの複合注文の各々は、少なくとも一つの複合条件と、価格連動条件、経路指定条件、取引の影響を受けた条件、最低執行数量、および一括条件から成るグループから選択される少なくとも一つの非複合条件とを含むこと、
該トレーディング装置が、ダイナミックオークションの少なくとも一つのラウンドで稼動すること、
前記注文が、公共債、民間債、為替、手形、株式、投資信託証券、デリバティブ、オプション、クレジットデフォルトスワップ（ＣＤＳ）、バリアンススワップ（ＶＡＲ）、商品取引、電力、石油採掘権、排出権枠、排出権クレジット、不動産、オンライン広告権、特許、電波ライセンス、空港発着枠、データ容量、その他の有形、無形財から成るグループから選択される品目を対象としていること、および
該トレーディング装置が、高度設定で稼動するように構成されていることのうちの少なくとも一つを提供する、請求項１〜５のいずれか１項に記載のトレーディング装置。
【請求項１７】
少なくとも一つの注文の特徴が満たされること、および取引の生成時の前記少なくとも一つの注文の役割のうちの少なくとも一つに基づいて、金銭授受を決定するように構成された会計モジュールをさらに備える、請求項１〜５のいずれか１項に記載のトレーディング装置。
【請求項１８】
命令を格納した非一時的コンピューター読取可能格納媒体であって、前記命令は、コンピューターシステムにより実行されたとき、該コンピューターシステムに、
許容可能な注文を定義するメッセージ欄を含むトレーディングメカニズムを提供すること、
許容可能な注文を、少なくとも一人の第１のトレーダーから受信することであって、前記許容可能な注文は、前記少なくとも一人の第１のトレーダーによって送信された少なくとも一つの許容可能な複合注文を含み、該少なくとも一つの許容可能な複合注文は、決済において市況の状態に基づいて定義された少なくとも一つの複合条件を含む、前記受信すること、
該送信された許容可能な注文を格納すること、
該送信された許容可能な注文とトレーディングメカニズムとに基づいて取引を生成すること、
該取引を報告すること
を含むトレーディング方法を実行させ、
前記トレーディングメカニズムは、
前記少なくとも一人の第１のトレーダー以外からの許容可能な注文のセットにおける少なくとも一つのセットに対して、前記複合条件が満たされるかどうかを判定することは、決済における第１のトレーダーの品目配分と代価授受、決済の時刻まで存在する前記少なくとも一人の第１のトレーダーの入札履歴、前記決済の時刻、前記決済の時刻まで存在する外生変数の履歴、および前記決済の時刻まで存在するトレーディングメカニズムにおける前記第１のトレーダーに利用可能な他の情報のうちの少なくとも一つのグループに含まれる前記情報のみを取得するだけでは不可能であり、
前記少なくとも一人の第１のトレーダー以外からの許容可能な注文のセットにおける少なくとも一つのセットに対して、前記複合条件が満たされるかどうかを判定することは、決済における品目配分と代価授受、および前記決済の時刻まで存在するトレーディングメカニズムにおける情報の全てを取得することで可能となることを提供する、格納媒体。
【請求項１９】
複数単位注文、複数品目注文、または複数単位注文および複数品目注文の組み合わせをサポートし、許容可能な注文を定義するメッセージ欄を含むトレーディングメカニズムを有するトレーディング装置であって、
少なくとも一人のトレーダーｉから許容可能な注文を前記トレーディング装置で受信する注文レシーバーであって、前記許容可能な注文は、前記少なくとも一人のトレーダーｉによって送信された少なくとも一つの許容可能な複合注文を含み、送信された前記少なくとも一つの許容可能な複合注文は、少なくとも一つのゼロではない価格を含み、複数単位注文、複数品目注文、および複数単位注文および複数品目注文の組み合わせのうちのいずれか一方のグループであり、前記少なくとも一つの許容可能な複合注文は、決済において市況の状態に基づいて定義された少なくとも一つの複合条件を含む、前記注文レシーバーであって、
前記トレーディングメカニズムは、
決済において市況の状態に基づいて定義された少なくとも一つの許容可能な複合条件は、生成された取引の品目配分と代価授受のうちの少なくとも一つに基づく条件のみで定義されず、
前記少なくとも一人のトレーダーｉ以外からの許容可能な注文のセットにおける少なくとも一つの注文の組に対して、前記複合条件が満たされるかどうかを判定することは、決済におけるトレーダーｉの品目配分と代価授受、決済の時刻までの前記少なくとも一人のトレーダーｉの入札履歴、前記決済の時刻、前記決済の時刻までの外生変数の履歴、および前記決済の時刻までのトレーディングメカニズムにおける前記トレーダーｉに利用可能な他の情報のうちの少なくとも一つのグループに含まれる前記情報のみを取得するだけでは不可能であり、前記複合条件が満たされるかどうかを判定することは、決済における品目配分と代価授受、および前記決済の時刻までのトレーディングメカニズムにおける情報の全てを取得することで可能となる、前記注文レシーバーと、
該送信された許容可能な注文を前記トレーディング装置で格納する注文格納モジュールと、
該送信された許容可能な注文とトレーディングメカニズムとに基づいて取引を前記トレーディング装置で生成する取引生成部であって、少なくとも一つの複合注文が送信される際の単一の品目または複数の品目に対する生成された取引の品目配分と代価授受に対応する単一の価格または複数の価格は、外部で判定される、前記取引生成部と、
該取引を前記トレーディング装置で報告する報告モジュールとを備える、トレーディング装置。
【請求項２０】
複数単位注文、複数品目注文、または複数単位注文および複数品目注文の組み合わせをサポートし、許容可能な注文を定義するメッセージ欄を含むトレーディングメカニズムを有するトレーディング装置であって、
少なくとも一人のトレーダーｉから許容可能な注文を前記トレーディング装置で受信する注文レシーバーであって、前記許容可能な注文は、前記少なくとも一人のトレーダーｉによって送信された少なくとも一つの許容可能な複合注文を含み、送信された前記少なくとも一つの許容可能な複合注文は、少なくとも一つのゼロではない価格を含み、複数単位注文、複数品目注文、および複数単位注文および複数品目注文の組み合わせのうちのいずれか一方のグループであり、前記少なくとも一つの許容可能な複合注文は、決済において市況の状態に基づいて定義された少なくとも一つの複合条件を含む、前記注文レシーバーであって、
前記トレーディングメカニズムは、
前記市況の状態は、少なくとも取引の品目配分に対応する総量に基づいて定義され、前記複合条件は、前記総量の少なくとも一つの値に基づいて定義されること、
前記少なくとも一人のトレーダーｉ以外からの許容可能な注文のセットにおける少なくとも一つの注文の組に対して、前記複合条件が満たされるかどうかを判定することは、決済におけるトレーダーｉの品目配分と代価授受、決済の時刻まで存在する前記少なくとも一人のトレーダーｉの入札履歴、前記決済の時刻、前記決済の時刻までの外生変数の履歴、および前記決済の時刻までのトレーディングメカニズムにおける前記トレーダーｉに利用可能な他の情報のうちの少なくとも一つのグループに含まれる前記情報のみを取得するだけでは不可能であり、前記複合条件が満たされるかどうかを判定することは、決済における品目配分と代価授受、および前記決済の時刻までのトレーディングメカニズムにおける情報の全てを取得することで可能となることを提供する、前記注文レシーバーと、
該送信された許容可能な注文を前記トレーディング装置で格納する注文格納モジュールと、
該送信された許容可能な注文とトレーディングメカニズムとに基づいて取引を前記トレーディング装置で生成する取引生成部であって、少なくとも一つの複合注文が送信される際の単一の品目または複数の品目に対する生成された取引の品目配分と代価授受に対応する単一の価格または複数の価格は、外部で判定される、前記取引生成部と、
該取引を前記トレーディング装置で報告する報告モジュールとを備える、トレーディング装置。